(57)【特許請求の範囲】
【請求項１】
正面板と背面板と左右側面板とが連接して胴部が形成され、
天面部と底面部とのそれぞれで前記左右側面板の上下端に連接されたフラップを胴部側に折り込み、前記背面板の上下端に連接の内面板を前記フラップに折り重ね、前記正面板の上下端に連接の外面板を前記内面板に折り重ねして貼り合わせて、前記天面部と底面部とが閉鎖されている包装容器において、
前記外面板と内面板との側面板幅方向に沿った寸法が略同寸法とされていて、前記外面板には、該外面板の正面板側の折り罫とは反対側の端縁中央に形成した摘み部の両側から外面板の正面板側の前記折り罫の端部に亘る二本の切り取りミシン目が入れられて、前記外面板が、前記二本の切り取りミシン目を境にしてこの切り取りミシン目の間の引き起こし領域と、切り取りミシン目から側方にして重ね合わせ下位の前記内面板に貼り合わされている固定領域とに区分され、前記摘み部側からの引き起こしによる切り取りミシン目の切断により固定領域を内面板側に残存させて外面板が内面板から分離可能に設けられ、
前記外面板における摘み部には、破断容易なミシン目を入れてなる開封開始部が設けられ、前記内面板における前記開封開始部に対応する位置には、破断容易なミシン目を入れて背面板と内面板との間の折り部側を基端として胴部内方に向けて倒れ込み可能とされた舌片を配してなる開封補助部が設けられ、前記開封開始部と前記開封補助部とは、開封補助部の胴部内方に向けての倒れ込みを伴なう開封開始部の胴部内への押し込みを可能にして上下に重ね合わされていることを特徴とする包装容器。
【請求項２】
上記切り取りミシン目は、正面板折り罫端部側に位置してカット目形状を直線形状にした直線カット目部と、前記直線カット目部に連続してカット目形状をへ字形状にした屈曲カット目部とを有し、
上記摘み部の端縁とこの端縁が前記切り取りミシン目に連続する切り込み部分とのそれぞれの形状が波線形状に形成されている請求項１に記載の包装容器。
【請求項３】
容器本体を構成する面板が連続してなる包材の端縁全てが波線形状とされていて、胴部の内方に位置する面板の端縁の波線形状は、該胴部の内方に位置する面板の端縁以外の端縁の波線形状より波線パターンが大きい請求項１または２に記載の包装容器。
【発明の詳細な説明】
【技術分野】
【０００１】
本発明は段ボールや厚紙からなる紙製の包装容器であって、液体が充填されたフレキシブルな合成樹脂容器を内容器として収納するに適した包装容器に関するものであり、さらに容器の使用後に解体が容易に行なえるようにした包装容器に関するものである。
【背景技術】
【０００２】
従来から、業務用途で提供する日本酒や焼酎などの飲料を収納する容器の一つとしてバッグインボックスが利用されている。このような業務用途のバッグインボックスは内容量が１０リットルを超えるものが多く、立方体状の段ボールケースにフレキシブルな合成樹脂製容器を内容器として収納しており、その内容器に取り付けられたスパウトを段ボールケースの側面板に開口した取り出し口から引き出してコックタイプの栓を取り付けて、バッグインボックス全体を支えなくとも据え置きの状態で内容物を注出できるようにしている。
また、近年においては、一般住宅で少人数の客を招いてホームパーティなどのような集まりを開く場合が目立つようになり、この小さな集まりに際しては、少人数の招待客にジュースやアルコール飲料を振る舞うことができるようにと、飲料が或る程度の数量を纏めて買い求められている。このような消費傾向から、一般家庭向けとして、上述した大容量のものではないが、２〜６リットル程度の内容量のバッグインボックスにジュースやアルコール飲料を収納した商品を提供する試みがある。
【０００３】
上述したように内容量が２〜６リットル程度のバッグインボックスタイプとした容器としては手持ちできる形態が望ましいとともに、家庭の冷蔵庫に収納できる大きさとすることが考えられている。そして、その内容量の内容器を収納する外ケースとしての包装容器には、胴膨れを考慮して比較的剛性のある薄口の段ボールが包材として適し、また、一般消費者向けの商品としてその商品周囲に絵柄や取り扱い説明などを印刷した化粧面が形成できて、かつ見栄えも良くするために、正面板と背面板と左右側面板との四方の面板が一連に連接して胴部を形成した段ボール箱とし、さらには内容器を確実に支持するために、天面部分にあっては、正面板の上端と背面板の上端とに連接されて対向配置となった二枚の面板を折り倒してほぼ全面的に重ね合わせた二重の天面閉鎖の構成とするとともに、同様に底面部分についても、正面板の下端と背面板の下端とに連接されて対向配置となった二枚の面板を折り倒してほぼ全面的に重ね合わせた二重の底面閉鎖の構成とすることが望ましい。
内容器に取り付けられているスパウトを引き出すためには、胴部において正面板や背面板より細幅とした側面板に開口可能な部分を設けておき、必要時にこの部分を開いてスパウトを引き出すようにすることが、注出時に収納容器を取り扱う上で望ましいと考えられている。
【０００４】
一方、このような一般消費者向けに提供するバッグインボックスの商品にあっては、使用後には空の内容器である合成樹脂製容器と段ボールの収納容器とを分別して処分できるようにする必要がある。勿論、業務用途のバッグインボックスの商品であっても廃棄時に分別する必要があるが、一般消費者が内容器と収納容器とを容易に分別できるようにすべきである。
【０００５】
二重となっている天面部分については、摘み部などを構成し易いため、分別ではその二重の天面板の部分から開くようにすることが好ましい。そして、天面板部分に予め切り取りミシン目を穿設して、必要時にこの切り取りミシン目を切断することが考慮され、例えば特許文献１に示されているように、全面的に重ね合わされた二枚の天面板の内、上位の天面板の基端に沿って切り取りミシン目を二条にして穿設してなるファスナを設け、切り取りミシン目の間を取り外しながらファスナを切断することで、上位の天面板の大部分が下位の天面板に一体となった状態で箱の天面側を開くことができるようにした工夫がある。
このようにして天面板部分や底面板部分を開いて内容器を引き出すようにすれば分別が可能である。
また、二重の天面板や底面板はホットメルトによって貼り合わせすることになるが、特許文献２に示されているように、貼り合わせによって二重とされた面板の内、外表面側となる面板に対して、側面板側の折り罫とは反対側となる端縁の中央の部分を摘み部とし、その両側から切り取りミシン目を前記折り罫の端部それぞれに亘って設けて、切り取りミシン目を境として側方の領域を重ね合わせ下位のとなる内側の面板に接着した領域として、摘み部から引き起こしで切り取りミシン目それぞれを切断することで、貼り合わせしていた二枚の面板を分離できるようにした工夫がある。このようにすれば、閉鎖されていた天面側や底面側も開いて収納容器全体を偏平にすることが可能となり、ゴミの削減に効果があると考えられている。
【特許文献１】特開平０５−１２４６３８号公報
【特許文献２】実公平０７−０４８５０５号公報
【発明の開示】
【発明が解決しようとする課題】
【０００６】
しかしながら、上述した切り取りミシン目を二条にしたファスナを天面板に設ける構成にあっては、上位の天面板の基端（折り罫）に沿った方向で切り取りミシン目をその天面板の幅方向全長に亘って穿設する構造であるため、切り取りミシン目からなるファスナの部分の強度が大きく低下し、製函時に切り取りミシン目の位置で天面板が折れ曲がる可能性がある。また、この包装容器を持ち運ぶ際に、天面側から手を掛けて側面板の幅方向に挟み込むようにすることが考えられるが、挟み持ったときに応力が天面板の前記ファスナの部分に集中し易く、そのため、このファスナ部分で天面板が折れ曲がる可能性がある。そして、ファスナの部分を切り取ったときにそのファスナの部分が容器本体とは別の独立したゴミとなってしまう問題がある。
【０００７】
また、上述したように天面側や底面側でそれぞれ上位となる面板に端縁中央からその面板の基端端部側（折り罫端部側）に向けて斜めに切り取りミシン目を穿設する技術にあっては、独立したゴミを生じる不具合は生じないが、以下の不都合の生じるものである。
上述したように外表面側となる面板の端縁に摘み部を設けているが、その摘み部が下位の面板に重なっているため、摘み部自体を摘み持つことがし難く、切り取りミシン目の間の開封始端側からの捲り起こしが簡単に行なえなくなって開封の操作が困難なものとなっている。
また、面板が折れ曲がりというつぎの不具合も生じ易いものである。即ち、斜めとした切り取りミシン目のカット目それぞれは各カット目のカット目形状が直線ではなく、全てのカット目のカット目形状がへ字形状にしていて、そのへ字形状である全てのカット目において天面板や底面板の幅方向に平行となるカット部分を有した状態となっている。
そして、この包装容器を組み起こすときに、切り取りミシン目が穿設された面板も下位の面板に重なるようにその上位の面板の基端側から折り倒すが、面板の基端側では反発が強く、基端に近い切り取りミシン目におけるカット目のその基端方向に沿ったカットの位置で応力が集中して面板が折れ曲がってしまうという不良が発生し易い。
【０００８】
上記切り取りミシン目に係る不具合を無くすためには、カット目全てのカット目形状を直線形状とすればよいが、しかしこれでは、切り取りミシン目が切断されたことで切断縁の形状が直線状となってしまい、特に包材が固い段ボールとしているため、開放後に内容器を取り出す作業をしているときや、収納容器を潰す作業をしているときに、鋭い形状となっている切断縁に指先などがぶつかって怪我を負う可能性がある。
そこで本発明は上記事情に鑑み、包装容器の天面や底面で二重に重ね合わされた天面の内、上位で外側となる面板に、その面板の基端とは反対側となる端縁の中央側から基端両端側に向けてそれぞれ切り取りミシン目が穿設されているものにおいて、その面板が二重に重ね合わされている部分から開封するに際して、開封の操作を開始し易くして、包装容器の取り扱いを容易にすることを課題とし、適正に製函されて、面板が二重に重ね合わせして貼り合わされている天面や底面の開放が簡単で確実に行なえる包装容器を得ることを目的とするものである。
【課題を解決するための手段】
【０００９】
本発明は上記課題を考慮してなされたもので、正面板と背面板と左右側面板とが連接して胴部が形成され、
天面部と底面部とのそれぞれで前記左右側面板の上下端に連接されたフラップを胴部側に折り込み、前記背面板の上下端に連接の内面板を前記フラップに折り重ね、前記正面板の上下端に連接の外面板を前記内面板に折り重ねして貼り合わせて、前記天面部と底面部とが閉鎖されている包装容器において、
前記外面板と内面板との側面板幅方向に沿った寸法が略同寸法とされていて、前記外面板には、該外面板の正面板側の折り罫とは反対側の端縁中央に形成した摘み部の両側から外面板の正面板側の前記折り罫の端部に亘る二本の切り取りミシン目が入れられて、前記外面板が、前記二本の切り取りミシン目を境にしてこの切り取りミシン目の間の引き起こし領域と、切り取りミシン目から側方にして重ね合わせ下位の前記内面板に貼り合わされている固定領域とに区分され、前記摘み部側からの引き起こしによる切り取りミシン目の切断により固定領域を内面板側に残存させて外面板が内面板から分離可能に設けられ、
前記外面板における摘み部には、破断容易なミシン目を入れてなる開封開始部が設けられ、前記内面板における前記開封開始部に対応する位置には、破断容易なミシン目を入れて背面板と内面板との間の折り部側を基端として胴部内方に向けて倒れ込み可能とされた舌片を配してなる開封補助部が設けられ、前記開封開始部と前記開封補助部とは、開封補助部の胴部内方に向けての倒れ込みを伴なう開封開始部の胴部内への押し込みを可能にして上下に重ね合わされていることを特徴とする包装容器を提供して、上記課題を解消するものである。
【００１０】
そして、本発明において、記切り取りミシン目は、正面板折り罫端部側に位置してカット目形状を直線形状にした直線カット目部と、前記直線カット目部に連続してカット目形状をへ字形状にした屈曲カット目部とを有し、上記摘み部の端縁とこの端縁が前記切り取りミシン目に連続する切り込み部分とのそれぞれの形状が波線形状に形成されていることが良好である。
また、本発明において、容器本体を構成する面板が連続してなる包材の端縁全てが波線形状とされていて、胴部の内方に位置する面板の端縁の波線形状は、該胴部の内方に位置する面板の端縁以外の端縁の波線形状より波線パターンが大きいことが良好である。
【発明の効果】
【００１１】
（請求項１の発明の効果）
請求項１の発明によれば、容器の閉鎖された天面部と底面部とのそれぞれでの外面板の開封開始部の部分を胴部の内方に向けて押し込むようにすることで、ミシン目が切断された部分に指掛かりが得られ、その開封開始部を利用して摘み部側から引き起こし領域を簡単に引き起こすことができるようになる。そして、内面板の開封補助部は、前記開封開始部の胴部内方に向けての押し込みを可能となるように開封開始部の下位（重ね合わせでの下位）となっているので、外面板と内面板とが重ね合わされた状態でも開封開始部での押し込み操作に支障を来たすことがない。
【００１２】
（請求項２の発明の効果）
請求項２の発明により、摘み部側からの引き起こしに際して切り取りミシン目の切断の始端が容易に形成でき、その切り取りミシン目の切断の進みがスムーズに開始させることができるとともに、引き起こしによって手などが触れ易くなる捲り部の端縁がその端縁形状を波線形状としているので、手や指先が強く当たっても怪我を負うことがない。
また、切り取りミシン目における正面板折り罫端部側に、カット目形状が直線形状である直線カット目が設けられているため、包装容器の製函で前記外天面板と外底面板の折り込みを行なっても、折り罫位置でそれぞれが適正に折り曲げられるようになり、製函不良を生じることがなくなる。
【００１３】
（請求項３の発明の効果）
請求項３の発明により、内容器の取り出し作業時や偏平に押し潰した本収納容器を取り扱うときに各面板の端縁に手や指先が当たることがあっても、切り傷などを生じることがない。また、胴部内方に位置する面板の端縁の波線形状を大きい波線パターンとしているため、内容器が強く接触することがあってもその内容器に切れを生じさせることがない。
【発明を実施するための最良の形態】
【００１４】
つぎに本発明を図１から図４に示す実施の形態に基づいて詳細に説明する。
図中１はバッグインボックス用として提供される包装容器で、上述したように比較的剛性がある硬質な段ボールを包材としてなるものであり、薄口の段ボールを採用してなるものである。そして、包装容器１は外観を正面から見た場合に横方向の幅が長く、かつ或る程度の高さを有したブロック状の形態を呈するものである。この包装容器１の胴部２は図２の展開形態で示すように四方の面板が一連に連接してなるもので、正面板３と背面板４と左右の側面板５とが連接され、一方の側面板５の糊代を背面板４の内面側に接着することで、前記胴部２が形成されている。
【００１５】
本包装容器１の天面側と底面側とは、折り込んだフラップの上で内面板と外面板との重ね合わせとその貼り合わせとをしたことによって閉鎖されているものであり、天面側にあっては、上記左右の側面板５の上端に連接されたフラップ６を胴部２側に折り込み、背面板４の上端に連接の内面板である内天面板７を前記フラップ６に折り重ねている。さらに、正面板３の上端に連接の外面板である外天面板８を前記内天面板７に折り重ねし、後述するように貼り合わせして閉鎖された天面部ａを形成している。
また、底面側にあっては、左右の側面板５の下端に連接されたフラップ６を胴部側に折り込み、背面板４の下端に連接の内面板である内底面板９を前記フラップ６に折り重ね、正面板３の下端に連接の外面板である外底面板１０を、折り倒されている前記内底面板９に折り重ねして、後述する貼り合わせを行なって閉鎖された底面部ｂが形成されている。
【００１６】
（天面部）
天面部ａにおいて、上述したように外天面板８と内天面板７とは、その側面板５の幅方向に沿った寸法が略同寸とされていて、重ね合わせ下位となる内天面板７の全面を前記外天面板８が覆っている。
さらに、外天面板８には、該外天面板８の正面板３側の折り罫１１とは反対側の端縁１２の中央の二ヶ所に切り欠き１３を入れてその間に摘み部１４が形成されている（図４参照）。
【００１７】
上記摘み部１４の両側の前記切り欠き１３からは、外天面板８の正面板３側の前記折り罫１１の端部に亘る二本の切り取りミシン目１５が入れられている。切り取りミシン目１５については後述する。そして、外天面板８が、二本の切り取りミシン目１５を境にしてこの切り取りミシン目１５の間となる引き起こし領域１６と、切り取りミシン目１５から外天面板８の幅方向での側方にしている固定領域１７とに区分される。前記固定領域１７は、外天面板８との重ね合わせ下位となっている内天面板７に貼り合わされている領域であり、外天面板８の固定領域１７と内天面板７の対応部分とのホットメルトなどの接着剤を介した貼り合わせで外天面板８と内天面板７とが一体となっている。
このように、切り取りミシン目１５を境とした側方側に位置する上記固定領域１７の部分のみが内天面板７に貼り合わされているため、上記摘み部１４の部分を持って引き起こすことにより、上記切り取りミシン目１５それぞれが切断し、この切断により固定領域１７を内天面板７側に残存させて引き起こし領域１６のみとなった外天面板８が内天面板７から分離させることができるように設けられている。
【００１８】
さらにこの天面部ａにあっては、バッグインボックスの商品形態としたものを手提げできるようにするために、外天面板８での上記引き起こし領域１６の中央に、直線状の折り罫１８とこの折り罫１８の両端に連続して長円状の領域を引き起こし領域１６内で区画する破断容易なミシン目１９とで手掛け部２０が形成されている。そして、内天面板７にあっては、手掛け部２０の胴部側への折り込みに緩衝しないように切り欠かれた形状に設けられている。
【００１９】
また、天面部ａにおいて、上記摘み部１４を容易に起こして開封を開始させることができるようにするために、その摘み部１４の部分に半円形状にして破断容易なミシン目１９が入れられ、摘み部１４の先端側を基端として胴部の内方に向けて折り込み可能な舌片を配してなる開封開始部２１が設けられている。必要時にこの開封開始部２１の前記舌片の領域を胴部２の内部に向けて押し込むように或る程度の力を加えれば、破断容易なミシン目１９が切断し、さらに破断容易なミシン目１９の端部間を結ぶ位置での折れや、その破断容易なミシン目１９の端部と摘み部１９の端縁１２との間の繋がり部分の捩じれを伴ないながら舌片部分が摘み部端縁側を基端して胴部２の内方に押し込むことができるようになり、開封開始部２１で形成された透孔に指先などを入れて、ミシン目１９の位置での破断縁からなる開口縁に指掛かりにして摘み部１４を引き上げることができる。このように開封開始部２１を利用して摘み部１４の両脇の切り取りミシン目１５に切断の始端が生じるようになる。なお、つぎに説明するように開封開始部２１の重ね合わせ下位となる部分は、この開封開始部２１の押し込みを支障無く行なえる構成を有している。
【００２０】
上記開封開始部２１に対応する位置にして上記内天面板７に、前記摘み部１４での半円形状のミシン目１９より僅かに半円形状が大きくなるようにした破断容易なミシン目１９が入れられ、背面板４と内天面板７との間の折り部側を基端として胴部の内方に向けて倒れ込み可能な舌片を配してなる開封補助部２１ａが設けられている。即ち、開封開始部２１の必要時の押し込みを可能にしてその開封開始部２１に対して重ね合わせ下位となっている開封補助部２１ａも、上方から開封補助部２１ａの舌片の領域を胴部２の内部に向けて押し込むような或る程度の力を加えれば、破断容易なミシン目１９が切断し、舌片部分が背面板４の折り部側を基端して胴部２の内方に倒れ込むようにしている。
そして、この開封補助部２１ａは上述したように、また図示されているように重ね合わせ上位の開封開始部２１より大きく設けられていて、開封開始部２１を押し込めばこの開封補助部２１ａも共に胴部２の内方に開いて、開封開始部２１のミシン目切断縁の部分に内天面板７の包材が存在せずに外天面板８の包材のみが張り出す形となった指掛かりが形成される。
【００２１】
（底面部）
底面部ｂも、手提げが行なえるようにした部分を配していない点を除いて上記天面部ａと同様の構成を有している。
上述したように外底面板１０と内底面板９とは、側面板５の幅方向に沿った寸法が略同寸とされている。よって、重ね合わせでは内底面板９の全面を外底面板１０が覆っている。
外底面板１０にも、該外底面板１０の正面板３側の折り罫１１とは反対側の端縁１２の中央の二ヶ所に切り欠き１３があり、その間に摘み部１４が形成されている。
【００２２】
上記外天面板８の形態と同じように、摘み部１４の両側の切り欠き１３から、外底面板１０の正面板３側の前記折り罫１１の端部に亘る二本の切り取りミシン目１５が入れられている。そして、外底面板１０が、二本の切り取りミシン目１５を境にし引き起こし領域１６と外底面板１０の幅方向での側方である位置に固定領域１７とに区分される。
固定領域１７も上記天面部ａでのものと同じように、重ね合わせ下位の内底面板９に貼り合わされていて、外底面板１０の固定領域１７と内底面板９の対応部分とのホットメルトなどの接着剤を介した貼り合わせで外底面板１０と内底面板９とが一体となる。
切り取りミシン目１５を境とした側方の固定領域１７の部分のみが内底面板９に貼り合わされているため、摘み部１４の部分を持って引き起こすことにより、切り取りミシン目１５それぞれが切断し、この切断により固定領域１７を内底面板９側に残存させて引き起こし領域１６のみとなった外底面板１０が内底面板９から分離させることができるように設けられている。
【００２３】
底面部ｂにおいても、摘み部１４での開封開始部２１の構成は同一であり、開封開始部２１に対応する位置で内底面板９に、前記摘み部１４の半円形状のミシン目１９より僅かに半円形状が大きくなるようにした破断容易なミシン目１９があり、背面板４と内底面板９との間の折り部側を基端として胴部の内方に向けて倒れ込み可能な舌片を配してなる開封補助部２１ａが設けられている。
そして、内底面板９のこの開封補助部２１ａも重ね合わせ上位の開封開始部２１より大きく設けられていて、開封開始部２１を押し込めばこの開封補助部２１ａも共に胴部２の内方に開いて、開封開始部２１のミシン目切断縁の部分に内底面板９の包材が存在せずに外底面板１０の包材のみが張り出す形となった指掛かりが形成される。
【００２４】
なお、天面部ａと底面部ｂの上記開封開始部２１と開封補助部２１ａとを破断容易なミシン目を半円状にして入れて舌片部分を押し込みできる構造にして示したが、本発明での前記開封開始部と開封補助部とは上記実施の形態に限定されるものではない。
【００２５】
（側面板）
本収納容器１では、展開状態で示されているようにバッグインボックスの商品形態としたものを縦長で手提げ可能とするために、一方の側面板５に、上記外天面板８での手掛け部２０と同じ構成とした手掛け部２０が設けられている。
また、他方の側面板５にあっては、バッグインボックスの商品形態としたときの内容器のスパウトを引き出すための開口予定部２２が設けられている。この開口予定部２２は、他方の側面板５の幅方向に亘る折り罫１８と、この折り罫１８の両端に連続して下方に伸びる破断容易なミシン目１９と、その下方に伸びるミシン目１９に下端部分の間に位置して略円状とした破断容易なミシン目１９とからなるものであり、略円状とした領域部分を打ち抜くとともに、折り罫１８から下がる二本のミシン目１９の間の係止フラップの役割を成す領域部分を引き起こし、内容器のスパウトを引き出してから前記係止フラップの役割の部分を戻してスパウトに係止させることで、そのスパウトの固定を行なえるようにしている。
【００２６】
（切り取りミシン目）
外天面板８と外底面板１０との上記切り取りミシン目１５について説明する。
上記摘み部１４の端縁１２とこの端縁から上記切り欠き１３を経て切り取りミシン目１５と連続する切り込み部分までの範囲において、それぞれの形状が波形のピッチを小さく波形の凹凸の大きさが小さい波線形状に形成されていて、上述した摘み部１４が引き起こされたときにその摘み部１４の端縁１２や切り欠き１３を構成していた端縁、そして切り取りミシン目１５に連続している部分に手や指先が当たっても怪我を負うことがないようにしている。
そして、前記切り取りミシン目１５それぞれにあっては、上記切り欠き１３側の上記波線形状の切り込み部分に連続する位置（一個のカット目）と正面板３の折り罫１１の端部側に位置する直線カット目部２３と、この直線カット目部２３の間にあって直線カット目部２３に連続する屈曲カット目部２４とからなるものである。
上記直線カット目部２３は、カット目形状を直線形状のみにして切り取りミシン目全体の傾斜方向にそのカットが沿うようにしたものであり、屈曲カット目部２４は、それぞれのカット目形状をへ字形状にしたものであって、前記屈曲カット目部２４のカット目それぞれは、切り取りミシン目１５全体の傾斜方向に沿ったカットと引き起こし領域の中心側に向いて折り罫１１にほぼ平行としたカットとが連続しているものである。
このように、摘み部１４側において直線カット目部２３が設けられているため、その摘み部１４を持って引き起こす際に切り取りミシン目１５の切り欠き側から切断の始端が簡単に生じ、その切断がスムーズに進むようになる。また、折り罫１１の端部側を直線カット目部２３としているため、製函に際して外天面板８や外底面板１０を折り曲げても切り取りミシン目１５自体に、包材の反発による応力が集中することがなく、よって、外天面板８や外底面板１０が適正に曲げられるようになり、適正に製函された包装容器１が得られる。
図４において外天面板８での切り取りミシン目１５を図示したが、上述しているように外底面板１０での切り取りミシン目１５も同一の構成を有する。
【００２７】
（面板の端縁）
包装容器１において、容器本体を構成する面板が連続してなる包材の端縁２５の全てが波線形状とされていて、具体的には、胴部２を形成している面板では背面板４の糊代２６と対応する側の辺、糊代２６の折り罫以外の三方の辺となる。またフラップ６それぞれでは折り罫側以外の三方の辺である。さらに、外天面板８、内天面板７、外底面板１０、内天面板９それぞれにおいても折り罫側以外の辺が波線形状の端縁２５としている。
そして、上記包材の全周となる上記端縁２５の内、胴部２の内方に位置する面板である糊代２６、フラップ６それぞれの端縁２５の波線形状は、その他の端縁２５の波線形状の波線パターンが大きなものであり、内容器と擦れ合うことがあっても内容器に傷を付けないように設けられている。また、波線パターンが大きい端縁２５以外の端縁２５についても波線形状であるため、ブロック形状時の包装容器１と取り扱う場合や、偏平にした時の包装容器１を取り扱うときに指先がこれら端縁２５に接触することがあっても切り傷を追うことが無いように安全が図られているものとなる。この波線パターンが大きい端縁２５以外の端縁２５についての波線形状は上述した摘み部１５の端縁１２、切り欠き１３、切り取りミシン目１５に連続する切り込み部分での波線形状と同じである。
なお、波線パターンが大きいとは、胴部２の内方に位置する面板の波線形状での波形のピッチと波形の凹凸の大きさが比較として大きいことを指す。
また、上記破断容易なミシン目１９もカット目それぞれが波線形状としており、上述した開封開始部の押し込みの作業や内容器のスパウトの固定作業、手掛け部２０の押し込み作業に際し、切断縁として表出して手や指先が当たる可能性がある位置のカット目を波線形状として怪我の発生を防止している。
【図面の簡単な説明】
【００２８】
【図１】本発明に係る包装容器の一例において天面部側から見た状態を示す説明図である。
【図２】同じく一例において底面部側から見た状態を示す説明図である。
【図３】一例を展開した状態で示す説明図である。
【図４】切り取りミシン目を示す説明図である。
【符号の説明】
【００２９】
１…包装容器
７…内天面板
８…外天面板
９…内底面板
１０…外底面板
１３…切り欠き
１４…摘み部
１５…切り取りミシン目
１６…引き起こし領域
１７…固定領域
１９…破断容易なミシン目
２０…手掛け部
２１…開封開始部
２１ａ…開封補助部
２２…開口予定部
２３…直線カット目部
２４…屈曲カット目部
２５…端縁
２６…糊代
ａ…天面部
ｂ…底面部
【図１】
0005285932.tif 000002
【図２】
0005285932.tif 000003
【図３】
0005285932.tif 000004
【図４】
0005285932.tif 000005